(57)【要約】  後での使用のためのサイズに切断されるように適応された半完成平板ガラスパネルであって、第一平板ガラスシートと、プラスチック中間層と、第一平板ガラスシートから離間されかつプラスチック中間層によって第一平板ガラスシートに積層された第二平板ガラスシートと、前記二つのガラスシート間に挟まれた複数のＬＥＤであって、ＬＥＤ間に電気的接続を与えるように適応された電気伝導性経路に接続されたＬＥＤと、を含む。【選択図】  図３
2009516926.tif 000002
【特許請求の範囲】
【請求項１】
後での使用のためのサイズに切断されるように適応された半完成平板ガラスパネルであって、
第一平板ガラスシートと、
プラスチック中間層と、
第一平板ガラスシートから離間されかつプラスチック中間層によって第一平板ガラスシートに積層された第二平板ガラスシートと、
前記二つのガラスシート間に挟まれた複数のＬＥＤであって、ＬＥＤ間に電気的接続を与えるように適応された電気伝導性経路に接続されたＬＥＤと、
を含む半完成平板ガラスパネル。
【請求項２】
ガラスパネルが、実質的に直角の角を有する実質的に四角形の形状である、請求項１に記載の半完成平板ガラスパネル。
【請求項３】
ガラスパネルの寸法が、ａ）１．８ｍ×１．２ｍ，ｂ）２．５ｍ×１．５ｍ，ｃ）２．８ｍ×２．８ｍ，ｄ）５．８ｍ×２．８ｍからなる群から選択される寸法に等しいか又はそれより大きい、請求項２に記載の半完成平板ガラスパネル。
【請求項４】
第一及び第二平板ガラスシートが平板ソーダライムガラスからなる、請求項１〜３のいずれかに記載の半完成平板ガラスパネル。
【請求項５】
ガラスパネルが実質的に透明である、請求項１〜４のいずれかに記載の半完成平板ガラスパネル。
【請求項６】
プラスチック中間層がｐｖｂの層を含む、請求項１〜５のいずれかに記載の半完成平板ガラスパネル。
【請求項７】
電気伝導性経路が、ガラスパネルの表面積と実質的に同じ表面積を有する電気伝導性被覆によって与えられ、かつ一つ以上の電気的経路を規定する電気伝導性被覆の連続中に中断を与えられている、請求項１〜６のいずれかに記載の半完成平板ガラスパネル。
【請求項８】
電気伝導性被覆が実質的に透明である、請求項７に記載の半完成平板ガラスパネル。
【請求項９】
電気伝導性被覆が平板ガラスシートの一つの表面上に与えられる、請求項７又は８に記載の半完成平板ガラスパネル。
【請求項１０】
ＬＥＤを組み込む完成ガラスパネルの商業化方法であって、以下の工程を含む方法：
請求項１〜９のいずれかに記載の半完成平板ガラスパネルを用意する；そして
半完成平板ガラスパネルを所望のサイズに切断する。
【請求項１１】
ＬＥＤを組み込む完成ガラスパネルの商業化を容易にする方法であって、請求項１〜９のいずれかに記載の半完成平板ガラスパネルを、所望のサイズに切断することができる加工業者に販売することを含む方法。
【発明の詳細な説明】
【技術分野】
【０００１】
本発明は、複数の発光ダイオード（ＬＥＤ）を組み込む半完成ガラス製品に関する。
【発明の開示】
【０００２】
第一側面によれば、本発明は、請求項１に規定された半完成パネルを提供する。
【０００３】
従属請求項は、本発明の好適な又は代替的な実施態様の特徴を規定する。
【０００４】
本発明の他の側面は、他の独立請求項に規定される。
【０００５】
パネルは、ガラスパネル（ｇｌａｚｉｎｇ  ｐａｎｅｌ）及び／又はライティングパネル（ｌｉｇｈｔｉｎｇ  ｐａｎｅｌ）であってもよい。
【０００６】
本発明の利点の一つは、半完成パネル、即ちその半完成寸法で使用されるように適応されていないが、後の切断操作でその所望のサイズに切断されるように適応されているパネル、を提供することにある。半完成パネルは、標準的な平板ガラスパネルサイズ、例えば実質的に６ｍ×３ｍの矩形のＰＬＦサイズ、実質的に３ｍ×３ｍもしくは２ｍ×２ｍの正方形のＤＬＦサイズ、又は約３ｍ×２ｍであるかもしくは約０．７５ｍ×０．５５ｍより大きい実質的に矩形のブロックサイズに作られてもよい。
【０００７】
サイズへの切断は、例えばその表面積の１０％〜２０％を除去することによって半完成パネルを適切なサイズにトリミングすることを伴う。これは、半完成パネルが例えば窓、スカイライト、ガラス仕切り又はガラス壁被覆として使用するためにガラスパネルに変形されることになるときに好適でありうる。あるいは、サイズへの切断は、半完成パネルからの複数の完成部品又はパネルの製造を伴う。これは、半完成パネルがガラスパネル又はライティングパネルに変形されるときに好適でありうる。
【０００８】
今まで、ＬＥＤを組み込むガラスパネルは、主に職人の手で組み立てられる製品であり、そこではＬＥＤが完成サイズの製品に組み立てられていた。また、複数のＬＥＤを担持する可撓性フィルムを湾曲した自動車のフロントガラスに組み込むことが提案されている。これらの従来の提案に対して、本発明の半完成ガラスパネルは、ＬＥＤを組み込む平板ガラスパネルの極めて幅広い使用の途を開く。注文を受けてから完成パネルを配送するまでの間の時間の遅れは、いったん注文を受けてからその構成部品から所望のサイズのパネルを製造するのとは対照的に、本発明の半完成パネルをサイズに切断することによって有意に減少されうる。さらに、完成パネルのコストは、本発明の半完成パネルの製造によって可能になった規模の大きさから利益を得ることによって有意に減少されうる。
【０００９】
本明細書で使用される用語「平板ガラスパネル」は、特に建築用途のための平板積層ガラスパネルのために受け入れられる基準を満足するように要求される離間された実質的に平行な面で外部表面を有するガラスパネルに言及するものとして理解されるべきであり、それらの軟化温度で意図的に所望の形態に曲げられたガラスパネルとは対極に位置するものである。
【００１０】
矩形又は正方形のシート形態での半完成ガラスパネルの提供は、特にシートがガラス産業に一般に使用されるサイズを持つときに取り扱い及び輸送を容易にしうる。さらに、標準的なサイズの半完成パネルの提供は、最終的なサイズへの切断時の廃物の発生を防止しうる。
【００１１】
平板ソーダライムガラス、特にフロートガラスはガラスシートの一方、好ましくは両方に対して使用されることができる。ガラスシートの一方又は両方は透明ガラス、超透明ガラス又はティンテッドガラス（ｂｏｄｙ  ｔｉｎｔｅｄ  ｇｌａｓｓ）であってもよい。
【００１２】
特に窓用途に使用するために意図されるとき、半完成ガラスパネルは実質的に透明であってもよい。この場合において、それは４０％，５０％，６０％又は７０％に等しいか又はそれより大きい光透過率（ＣＩＥ光源Ｃ）及び／又は５％，３％又は２％に等しいか又はそれより小さい曇り度を有してもよい。
【００１３】
特に装飾及び／又は照明目的のために意図されるとき、それは半完成ガラスパネルを実質的に透明にすることは必要ないしかつ／又は望まれない。この場合において、それは２０％，１０％又は５％に等しいか又はそれより小さい光透過率（ＣＩＥ光源Ｃ）及び／又は３０％，４０％又は５０％に等しいか又はそれより大きい曇り度のレベルを有してもよい。
【００１４】
電気伝導性経路は、一つのガラスシートの一方の表面上に直接与えられた電気伝導性被覆層によって与えられてもよい。これはスパッタされた被覆スタックであり、それは５ｎｍ〜３００ｎｍの範囲の物理的厚さを有してもよく、例えばＩＴＯ又は銀を含む被覆スタックである。あるいは、それは熱分解被覆、特に化学蒸着によって付着されたものであってもよく、それは１００ｎｍ〜５０００ｎｍの範囲の厚さを有してもよく、例えばフッ素又はアンチモンでドープされた酸化錫を含む被覆であってもよい。電気伝導性被覆層のシート抵抗は１〜６オーム／平方の範囲内又は２〜２０オーム／平方の範囲内であってもよい。一つ以上の電気的経路を規定するように電気伝導性被覆層に中断を与えてもよい。かかる中断は被覆層の蒸着時のマスキングによって又はアブレーション、例えばレーザアブレーション、化学エッチングもしくはアブレーションによって与えられてもよい。特に被覆層の形の一つのガラスシートの一方の表面上への電気伝導性経路の直接的な設置は、半完成パネルのサイズへの切断を容易にしうる。なぜならば、電気伝導性経路は、追加の切断操作を要求せずにガラスがサイズに切断されると同時に切断されうるからである。
【００１５】
あるいは、電気伝導性経路は、例えばＰＶＢ（ポリビニルブチラール）の層を介して、第一及び第二ガラスシートの各々の間に配置されかつそれらに積層された基体（例えばＰＥＴフィルム）上に与えられた電気伝導性被覆層によって与えられてもよい。この場合において、被覆層は、上で言及したようなスパッタされた被覆層であってもよい。
【００１６】
実質的に透明な電気伝導性被覆層の使用は、ＬＥＤの全て又は幾つかが電気伝導性経路を通過する照明を与えるように配置されるとき好ましい。
【００１７】
第一及び第二ガラスシートは、ＰＶＢ又は樹脂（例えばＥＶＡ）の一つ以上のシートを含むプラスチック中間層によって積層集成体を形成するために一緒に積層されてもよい。プラスチック中間層は実質的に透明であってもよい。それは中性もしくは透明な色であってもよく、又はそれは着色されてもよい。
【００１８】
好ましくは、半完成ガラスパネルの大部分、より好ましくは実質的に全表面積はＬＥＤを与えられる。即ち、ＬＥＤはパネルの表面積の５０％，６０％，７０％，８０％又は９０％より大きい配列被覆面積を有する離間されたＬＥＤの配列を形成する。
【００１９】
半完成板ガラスパネルは少なくとも５０，１００又は２００個のＬＥＤを組み込んでもよい。
【００２０】
第一及び第二ガラスシートは２．５ｍｍ〜１０ｍｍの範囲の厚さを有することが好ましい。
【００２１】
半完成ガラスパネル及びそこから切断された完成ガラスパネルは３Ｂ３、好ましくは２Ｂ２、より好ましくは１Ｂ１のヨーロッパ規格ＥＮ１２６００（振子試験として言及されることも多い）に規定される機械的抵抗を持ってもよい。
【００２２】
本発明の限定されない実施態様は添付図面を参照して記載される。
図１は、半完成ガラスパネルの平面図である。
図２は、拡大された断面図である。
図３は、拡大された平面図である。
図４は、図１の半完成ガラスパネルから切断された完成ガラスパネルの系列の平面図である。
【発明を実施するための最良の形態】
【００２３】
半完成ガラスパネル１０は、０．７６ｍｍ厚のＰＶＢ１３のシートによって一緒に積層された、第一１１及び第二１２の平坦で透明な３ｍｍ厚のソーダライムフロートガラスシートを含む。第一ガラスシート１１の内部表面１４は、ＳｉＯｘＣｙアンダーコート及びその上にあるＳｎＯ２：Ｆ被覆を含む実質的に中性色のＣＶＤ被覆スタック１５を与えられている。約７０ミクロンの幅でレーザアブレーションによって形成された被覆スタック１５の中断１６は、レーザアブレーション１６のいずれかの側に電気伝導性接着剤１９を付着又ははんだ付けされたＬＥＤ１７間の電気伝導性経路を規定する。各ＬＥＤは第一ガラスシート１１の被覆１５と直接接触しており、図２に示された間隔は概略的で、実際の配置を表わしていない。追加のレーザアブレーション１８は、連続して接続されるＬＥＤの個々の線にＬＥＤ１７の配列を分割する。
【００２４】
この実施態様では、ＬＥＤは、第二ガラスシート１２を通って照明を与えるように適応される。即ち、被覆層１５によって与えられた電気伝導性経路を通ったり又はそれによる妨げがない。
【００２５】
半完成ガラスパネルは、約３ｍ×１．６ｍの寸法を有し、ダイオードの配列が半完成ガラスパネルの実質的に全面積をカバーするように５ｃｍ間隔の規則的な格子で配置された約１９２０個のＬＥＤを含む。各ＬＥＤは約４ｍｍ２の表面積を有する。
【００２６】
半完成パネル１０は、図４に概略的に示されたように所望のサイズに切断され、そこでは三つの最終的な切断サイズのガラスパネル３１，３２，３３は、パネル１０に刻み目を付けてパチンと折ることによって形成される。最終的なサイズのガラスパネル３１，３２及び３３の各々は続いて、組み込まれたＬＥＤを照明するように電力を供給できるために電気接続を与えることによって完成される。
【図面の簡単な説明】
【００２７】
【図１】半完成ガラスパネルの平面図である。
【図２】拡大された断面図である。
【図３】拡大された平面図である。
【図４】図１の半完成ガラスパネルから切断された完成ガラスパネルの系列の平面図である。
【図１】
2009516926.tif 000003
【図２】
2009516926.tif 000004
【図３】
2009516926.tif 000005
【図４】
2009516926.tif 000006
【国際調査報告】
2009516926.tif 000007
2009516926.tif 000008
2009516926.tif 000009